(57)【要約】  無線端末（１）は、ネットワーク（１００）と接続可能な条件においてネットワーク（１００）から受信した要求に応答して、ネットワーク（１００）に接続できない条件の第２の無線端末（２）とのサイドリンク通信（１０２）を事前設定された第１の無線パラメータ（１００８）に従って行うよう構成されている。サイドリンク通信（１０２）は、ダイレクト・ディスカバリ及びダイレクト通信の少なくとも一方を含む。これにより、例えば、パーシャルカバレッジでのサイドリンク通信の改良に寄与することができる。
2016142973.tif 000002
【特許請求の範囲】
【請求項１】
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークから受信した要求に応答して、前記ネットワークに接続できない条件の第２の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【請求項２】
前記第１の無線パラメータは、前記無線端末装置および前記第２の無線端末が共に前記ネットワークに接続できない条件の場合に、前記ネットワークの支援無しで前記サイドリンク通信を行うためにも使用される、
請求項１に記載の無線端末装置。
【請求項３】
前記第１の無線パラメータは、前記無線端末装置内に又は前記無線端末装置に結合されるUniversal Integrated Circuit Card（UICC）内に事前に設定されている、
請求項１又は２に記載の無線端末装置。
【請求項４】
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【請求項５】
前記第１の無線パラメータは、前記無線端末装置および前記第１の無線端末が共に前記ネットワークに接続できない条件の場合に、前記ネットワークの支援無しで前記サイドリンク通信を行うためにも使用される、
請求項４に記載の無線端末装置。
【請求項６】
前記第１の無線パラメータは、前記無線端末装置内に又は前記無線端末装置に結合されるUniversal Integrated Circuit Card（UICC）内に事前に設定されている、
請求項４又は５に記載の無線端末装置。
【請求項７】
メモリと、
前記メモリに結合された少なくとも１つのプロセッサと、
を備え、
前記少なくとも１つのプロセッサは、ネットワークと接続できない条件にある第２の無線端末とのサイドリンク通信を事前設定された第１の無線パラメータに従って開始するように前記ネットワークと接続可能な条件にある第１の無線端末に要求するよう構成され、
前記サイドリンク通信は、ダイレクト・ディスカバリ及びダイレクト通信の少なくとも一方を含む、
制御装置。
【請求項８】
第１の無線端末によって行われる方法であって、
ネットワークと接続可能な条件において前記ネットワークから受信した要求に応答して、前記ネットワークに接続できない条件の第２の無線端末とのサイドリンク通信を事前設定された第１の無線パラメータに従って行うこと、ここで前記サイドリンク通信は、ダイレクト・ディスカバリ及びダイレクト通信の少なくとも一方を含む、
を備える、方法。
【請求項９】
前記第１の無線パラメータは、前記第１の無線端末および前記第２の無線端末が共に前記ネットワークに接続できない条件の場合に、前記ネットワークの支援無しで前記サイドリンク通信を行うためにも使用される、
請求項８に記載の方法。
【請求項１０】
前記第１の無線パラメータは、前記第１の無線端末内に又は前記第１の無線端末に結合されるUniversal Integrated Circuit Card（UICC）内に事前に設定されている、
請求項８又は９に記載の方法。
【請求項１１】
第２の無線端末によって行われる方法であって、
ネットワークに接続できない条件の場合に、前記ネットワークと接続可能な条件にある第１の無線端末とのサイドリンク通信を事前設定された第１の無線パラメータに従って行うこと、ここで前記サイドリンク通信は、ダイレクト・ディスカバリ及びダイレクト通信の少なくとも一方を含む、
を備える、方法。
【請求項１２】
前記第１の無線パラメータは、前記第１の無線端末及び前記第２の無線端末が共に前記ネットワークに接続できない条件の場合に、前記ネットワークの支援無しで前記サイドリンク通信を行うためにも使用される、
請求項１１に記載の方法。
【請求項１３】
前記第１の無線パラメータは、前記第２の無線端末内に又は前記第２の無線端末に結合されるUniversal Integrated Circuit Card（UICC）内に事前に設定されている、
請求項１１又は１２に記載の方法。
【請求項１４】
ネットワークと接続できない条件の第２の無線端末とのサイドリンク通信を事前設定された第１の無線パラメータに従って開始するように前記ネットワークと接続可能な条件にある第１の無線端末に要求すること、ここで前記サイドリンク通信は、ダイレクト・ディスカバリ及びダイレクト通信の少なくとも一方を含む、
を備える、制御装置によって行われる方法。
【請求項１５】
第１の無線端末によって行われる方法をコンピュータに行わせるためのプログラムを格納した非一時的なコンピュータ可読媒体であって、
前記方法は、ネットワークと接続可能な条件において前記ネットワークから受信した要求に応答して、前記ネットワークに接続できない条件の第２の無線端末とのサイドリンク通信を事前設定された第１の無線パラメータに従って行うことを含み、
前記サイドリンク通信は、ダイレクト・ディスカバリ及びダイレクト通信の少なくとも一方を含む、
非一時的なコンピュータ可読媒体。
【請求項１６】
第２の無線端末によって行われる方法をコンピュータに行わせるためのプログラムを格納した非一時的なコンピュータ可読媒体であって、
前記方法は、ネットワークに接続できない条件の場合に、前記ネットワークと接続可能な条件にある第１の無線端末とのサイドリンク通信を事前設定された第１の無線パラメータに従って行うことを含み、
前記サイドリンク通信は、ダイレクト・ディスカバリ及びダイレクト通信の少なくとも一方を含む、
非一時的なコンピュータ可読媒体。
【発明の詳細な説明】
【技術分野】
【０００１】
本出願は、Proximity-based services（ProSe）に関し、特に無線端末間のダイレクトインタフェースを用いて行われるダイレクト・ディスカバリ及びダイレクト通信に関する。
【背景技術】
【０００２】
3GPP Release 12は、Proximity-based services（ProSe）について規定している（例えば、非特許文献１を参照）。ProSeは、ProSeディスカバリ（ProSe discovery）及びProSeダイレクト通信（ProSe direct communication）を含む。ProSeディスカバリは、無線端末が近接していること（in proximity）の検出を可能にする。ProSeディスカバリは、ダイレクト・ディスカバリ（ProSe Direct Discovery）及びネットワークレベル・ディスカバリ（EPC-level ProSe Discovery）を含む。【０００３】
ProSeダイレクト・ディスカバリは、ProSeを実行可能な無線端末（ProSe-enabled UE）が他のProSe-enabled UEをこれら２つのUEが有する無線通信技術（例えば、Evolved Universal Terrestrial Radio Access (E-UTRA) technology）の能力だけを用いて発見する手順により行われる。これに対して、EPC-level ProSe Discoveryでは、コアネットワーク（Evolved Packet Core (EPC)）が２つのProSe-enabled UEsの近接を判定し、これをこれらのUEsに知らせる。ProSeダイレクト・ディスカバリは、３つ以上のProSe-enabled UEsにより行われてもよい。【０００４】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、wireless local area network (WLAN)の無線技術（つまり、IEEE 802.11 radio technology）を用いて行われてもよい。【０００５】
3GPP Release 12では、ProSe functionが公衆地上移動通信ネットワーク（PLMN）を介してProSe-enabled UEと通信し、ProSeディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeディスカバリ及びProSeダイレクト通信のためのUEの認証、（ｃ）ProSeディスカバリ及びProSeダイレクト通信のための設定情報（例えば、EPC-ProSe-User IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。本明細書では、ProSe functionを実行する１又は複数のネットワークノード又はエンティティを“ProSe function エンティティ”又は“ProSe functionサーバ”と呼ぶ。【０００６】
上述したように、ProSeダイレクト・ディスカバリ及びProSeダイレクト通信は、UE間のダイレクトインタフェースにおいて行われる。当該ダイレクトインタフェースは、PC5インタフェース又はサイドリンク（sidelink）と呼ばれる。以下、本明細書では、ダイレクト・ディスカバリ及びダイレクト通信のうち少なくとも一方を含む通信を「サイドリンク通信」と呼ぶ。【０００７】
UEは、サイドリンク通信を行う前に、ProSe functionと通信することが必要とされる（非特許文献１を参照）。ProSeダイレクト通信及びProSeダイレクト・ディスカバリを行うために、UEは、ProSe functionと通信し、PLMNによる認証情報を予めProSe functionから取得しなければならない。さらに、ProSeダイレクト・ディスカバリの場合、UEは、ディスカバリ・リクエストをProSe functionに送信しなければならない。具体的には、サイドリンクでのディスカバリ情報の送信（アナウンス）を希望する場合、UEは、アナウンスのためのディスカバリ・リクエストをProSe functionに送信する。一方、サイドリンクでのディスカバリ情報の受信（モニター）を希望する場合、UEは、モニターのためのディスカバリ・リクエストをProSe functionに送信する。そして、ディスカバリ・リクエストが成功した場合、UEは、UE間ダイレクトインタフェース（e.g., サイドリンク又はPC5インタフェース）においてディスカバリ情報を送信すること又は受信することが許可される。【０００８】
サイドリンク通信のための無線リソースのUEへの割り当ては、無線アクセスネットワーク（e.g., Evolved Universal Terrestrial Radio Access Network（E-UTRAN））によって行われる（非特許文献１及び２を参照）。ProSe functionによってサイドリンク通信を許可されたUEは、無線アクセスネットワークノード（e.g., eNodeB）によって設定された無線リソースを使用してProSeダイレクト・ディスカバリ又はProSeダイレクト通信を行う。非特許文献２のセクション23.10及び23.11は、サイドリンク通信のための無線リソースのUEへの割り当ての詳細を記載している。【０００９】
ProSeダイレクト通信に関しては、２つのリソース割り当てモード、つまりScheduled resource allocation 及び Autonomous resource selectionが規定されている。ProSeダイレクト通信のScheduled resource allocationでは、UEがeNodeBにリソース割り当てを要求し、eNodeBがサイドリンク・コントロール及びデータのためのリソースをUEにスケジュールする。具体的には、UEはスケジューリング・リクエスト をa ProSe Buffer Status Report（BSR）共にeNodeBに送る。【００１０】
一方、ProSeダイレクト通信のAutonomous resource selectionでは、UEは、リソースプールの中から、サイドリンク・コントロール及びデータのためのリソースを自律的に選択する。eNodeBは、System Information Block（SIB）18において、Autonomous resource selectionに使用するためのリソースプールをUEに割り当ててもよい。なお、eNodeBは、Radio Resource Control (RRC)_CONNECTEDのUEに対して、個別（dedicated）RRCシグナリングで、Autonomous resource selectionに使用するためのリソースプールを割り当ててもよい。このリソースプールは、UEがRRC_IDLEであるときにも利用可能であってもよい。【００１１】
ProSeダイレクト・ディスカバリに関しても、２つのリソース割り当てモード、つまりScheduled resource allocation 及び Autonomous resource selectionが規定されている。ProSeダイレクト・ディスカバリのAutonomous resource selectionでは、のディスカバリ情報の送信（アナウンス）を希望するUEがアナウンス用のリソースプールの中から自律的に無線リソースを選択する。リソースプールは、ブロードキャスト（SIB 19）又はデディケイテッドなシグナリング（RRCシグナリング）でUEに設定される。【００１２】
一方、ProSeダイレクト・ディスカバリのScheduled resource allocationでは、UEがアナウンス用のリソース割り当てをRRCシグナリングでeNodeBに要求する。eNodeBは、モニター用にUEsに設定されたリソースプールの中からアナウンス用のリソースをUEに割り当てる。Scheduled resource allocationが使用される場合、eNodeBは、SIB 19においてProSeダイレクト・ディスカバリのモニター用のリソースの提供をサポートするが、アナウンスメント用のリソースは提供しないことを示す。【００１３】
さらに、3GPP Release 12は、一方のUEがネットワークカバレッジ外であり、他方のUEがネットワークカバレッジ内であるパーシャルカバレッジ・シナリオについて規定している（例えば、非特許文献１のセクション4.4.3、4.5.4および5.4.4を参照）。パーシャルカバレッジ・シナリオにおいて、カバレッジ外のUEはremote UEと呼ばれ、カバレッジ内かつremote UEとネットワークを中継するUEはProSe UE-to-Network Relayと呼ばれる。ProSe UE-to-Network Relayは、remote UEとネットワーク（E-UTRAN及びEPC）との間でトラフィック（ダウンリンク及びアップリンク）を中継する。より具体的に述べると、ProSe UE-to-Network Relayは、UEとしてネットワークにアタッチし、ProSe function エンティティ又はその他のPacket Data Network（PDN）と通信するためのPDN connectionを確立し、ProSeダイレクト通信を開始するためにProSe function エンティティと通信する。ProSe UE-to-Network Relayは、さらに、remote UEとの間でディスカバリ手順を実行し、UE間ダイレクトインタフェース（e.g., サイドリンク又はPC5インタフェース）においてremote UEと通信し、remote UEとネットワークとの間でトラフィック（ダウンリンク及びアップリンク）を中継する。Internet Protocol version 4（IPv4）が用いられる場合、ProSe UE-to-Network Relayは、Dynamic Host Configuration Protocol Version 4 (DHCPv4) Server及びNetwork Address Translation (NAT) として動作する。IPv6が用いられる場合、ProSe UE-to-Network Relayは、stateless DHCPv6 Relay Agentとして動作する。本明細書では、ProSe UE-to-Network RelayのようなProSe機能および中継機能を持つ無線端末を「リレー無線端末」又は「リレーUE」と呼ぶ。また、リレー無線端末（リレーUE）による中継サービスを受ける無線端末を「リモート無線端末」又は「リモートUE」と呼ぶ。【００１４】
なお、3GPP Release 12のProSeは、複数の無線端末の地理的な位置の近接に基づいて提供される近接サービス（Proximity-based services（ProSe））の１つの具体例である。公衆地上移動通信ネットワーク（PLMN）における近接サービスは、3GPP Release 12のProSeと同様に、ネットワークに配置された機能又はノード（例えば、ProSe function）によって支援されるディスカバリ・フェーズ及びダイレクト通信フェーズを含む。ディスカバリ・フェーズでは、複数の無線端末の地理的位置の近接が判定又は検出される。ダイレクト通信フェーズでは複数の無線端末によってダイレクト通信が行われる。ダイレクト通信は、近接する複数の無線端末の間で公衆地上移動通信ネットワーク（PLMN）を介さずに行われる通信である。ダイレクト通信は、device-to-device (D2D) 通信、又はpeer-to-peer通信と呼ばれることもある。本明細書で使用される“ProSe”との用語は、3GPP Release 12のProSeに限定されず、ディスカバリ及びダイレクト通信の少なくとも一方を含む近接サービス通信を意味する。また、本明細書で使用される“近接サービス通信”及び“ProSe通信”との用語の各々は、ディスカバリ及びダイレクト通信の少なくとも一方を意味する。【００１５】
本明細書で使用する公衆地上移動通信ネットワーク（PLMN）との用語は、広域な無線インフラストラクチャネットワークであり、多元接続方式の移動通信システムを意味する。多元接続方式の移動通信システムは、時間、周波数、及び送信電力のうち少なくとも１つを含む無線リソースを複数の移動端末の間で共有することで、複数の移動端末が実質的に同時に無線通信を行うことを可能としている。代表的な多元接続方式は、Time Division Multiple Access（TDMA）、Frequency Division Multiple Access（FDMA）、Code Division Multiple Access（CDMA）、若しくはOrthogonal Frequency Division Multiple Access（OFDMA）又はこれらの組み合わせである。公衆地上移動通信ネットワークは、無線アクセスネットワークおよびコアネットワークを含む。公衆地上移動通信ネットワークは、例えば、3GPP Universal Mobile Telecommunications System（UMTS）、3GPP Evolved Packet System（EPS）、3GPP2 CDMA2000システム、Global System for Mobile communications（GSM（登録商標））/ General packet radio service（GPRS）システム、WiMAXシステム、又はモバイルWiMAXシステムである。EPSは、Long Term Evolution（LTE）システム及びLTE-Advancedシステムを含む。
【先行技術文献】
【特許文献】
【００１６】
【特許文献１】国際公開第２０１４／０５０８８６号
【非特許文献】
【００１７】
【非特許文献１】3GPP TS 23.303 V12.3.0 (2014-12), “3rd Generation Partnership Project; Technical Specification Group Services and System Aspects; Proximity-based services (ProSe); Stage 2 (Release 12)”, 2014年12月
【非特許文献２】3GPP TS 36.300 V12.4.0 (2014-12), “3rd Generation Partnership Project; Technical Specification Group Radio Access Network; Evolved Universal Terrestrial Radio Access (E-UTRA) and Evolved Universal Terrestrial Radio Access Network (E-UTRAN);Overall description; Stage 2 (Release 12)”, 2014年12月
【発明の概要】
【発明が解決しようとする課題】
【００１８】
3GPP Release 12は、パーシャルカバレッジでのサイドリンク通信（つまりリレーUEとリモートUEの間のサイドリンク通信）の開始手順について具体的に記載していない。また、3GPP Release 12は、パーシャルカバレッジのサイドリンク通信において使用される無線パラメータ（e.g., 無線リソース）の決定について具体的に規定していない。【００１９】
一方、特許文献１は、パーシャルカバレッジでのサイドリンク通信について記載している。具体的には、一例において、UE（リモートUE候補）は、基地局からの受信品質が低下した場合に、ダイレクト・ディスカバリの準備をネットワークに要求する。ネットワークは、当該UEからの要求に応答して、リレーUEを決定し、リレーUEにダイレクト・ディスカバリ動作の開始を要求する。リレーUEは、ネットワークからの要求に従って、ダイレクト・ディスカバリのための探索信号のアナウンス（送信）を開始するか、又はリモートUEから送信される探索信号のモニター（受信）を開始する。【００２０】
さらに、特許文献１は、リレーUEとリモートUEの間のダイレクト・ディスカバリ及びダイレクト通信に使用される無線リソースは、UEによって選択されてもよいし、基地局によって選択されてもよいと記載している。【００２１】
しかしながら、基地局又はUEによって動的に選択された無線リソースをパーシャルカバレッジでのサイドリンク通信に使用するためには、この無線リソースをリレーUE及びリモートUE が知っておく必要がある。しかしながら、パーシャルカバレッジでのサイドリンク通信のための無線リソースが基地局又はリレーUEによって動的に決定される場合、カバレッジ外のリモートUEまたはカバレッジ外になりそうなリモートUEに対して当該無線リソースを安定的に知らせることは困難であるかもしれない。これとは反対に、パーシャルカバレッジでのサイドリンク通信のための無線リソースがリモートUEによって動的に決定される場合も、カバレッジ外のリモートUEまたはカバレッジ外になりそうなリモートUEが当該無線リソースをリレーUE又は基地局に安定的に知らせることは困難かもしれない。【００２２】
もしパーシャルカバレッジでのサイドリンク通信に使用する無線リソースの情報をリモートUE及びリレーUEが共有していなければ、リモートUE及びリレーUEは、多くの周波数帯域または時間においてディスカバリのための信号をモニター（受信）又はアナウンスすることを強いられる。【００２３】
本明細書に開示される実施形態が達成しようとする目的の１つは、パーシャルカバレッジでのサイドリンク通信の改良に寄与する装置、方法、及びプログラムを提供することである。
【課題を解決するための手段】
【００２４】
第１の態様では、無線端末装置は、少なくとも１つの無線トランシーバ、及び前記少なくとも１つの無線トランシーバに結合された少なくとも１つのプロセッサを含む。前記少なくとも１つのプロセッサは、ネットワークと接続可能な条件において前記ネットワークから受信した要求に応答して、前記ネットワークに接続できない条件の第２の無線端末とのサイドリンク通信を事前設定された第１の無線パラメータに従って前記少なくとも１つの無線トランシーバを用いて行うよう構成されている。前記サイドリンク通信は、ダイレクト・ディスカバリ及びダイレクト通信の少なくとも一方を含む。【００２５】
第２の態様では、無線端末装置は、少なくとも１つの無線トランシーバ、及び前記少なくとも１つの無線トランシーバに結合された少なくとも１つのプロセッサを含む。前記少なくとも１つのプロセッサは、ネットワークに接続できない条件の場合に、前記ネットワークと接続可能な条件にある第１の無線端末とのサイドリンク通信を事前設定された第１の無線パラメータに従って前記少なくとも１つの無線トランシーバを用いて行うよう構成されている。前記サイドリンク通信は、ダイレクト・ディスカバリ及びダイレクト通信の少なくとも一方を含む。【００２６】
第３の態様では、制御装置は、メモリ、及び前記メモリに結合された少なくとも１つのプロセッサを含む。前記少なくとも１つのプロセッサは、ネットワークと接続できない条件の第２の無線端末とのサイドリンク通信を事前設定された第１の無線パラメータに従って開始するように前記ネットワークと接続可能な条件にある第１の無線端末に要求するよう構成されている。前記サイドリンク通信は、ダイレクト・ディスカバリ及びダイレクト通信の少なくとも一方を含む。【００２７】
第４の態様では、第１の無線端末によって行われる方法は、ネットワークと接続可能な条件において前記ネットワークから受信した要求に応答して、前記ネットワークに接続できない条件の第２の無線端末とのサイドリンク通信を事前設定された第１の無線パラメータに従って行うことを含む。前記サイドリンク通信は、ダイレクト・ディスカバリ及びダイレクト通信の少なくとも一方を含む。【００２８】
第５の態様では、第２の無線端末によって行われる方法は、ネットワークに接続できない条件の場合に、前記ネットワークと接続可能な条件にある第１の無線端末とのサイドリンク通信を事前設定された第１の無線パラメータに従って行うことを含む。前記サイドリンク通信は、ダイレクト・ディスカバリ及びダイレクト通信の少なくとも一方を含む。【００２９】
第６の態様では、制御装置によって行われる方法は、ネットワークと接続できない条件の第２の無線端末とのサイドリンク通信を事前設定された第１の無線パラメータに従って開始するように前記ネットワークと接続可能な条件にある第１の無線端末に要求することを含む。前記サイドリンク通信は、ダイレクト・ディスカバリ及びダイレクト通信の少なくとも一方を含む。【００３０】
第７の態様では、プログラムは、コンピュータに読み込まれた場合に、上述の第４、第５、又は第６の態様に係る方法をコンピュータに行わせるための命令群（ソフトウェアコード）を含む。
【発明の効果】
【００３１】
上述の態様よれば、パーシャルカバレッジでのサイドリンク通信の改良に寄与する装置、方法、及びプログラムを提供できる。
【図面の簡単な説明】
【００３２】
【図１】いくつかの実施形態に係る公衆地上移動通信ネットワークの構成例を示す図である。
【図２】いくつかの実施形態に係る公衆地上移動通信ネットワークの構成例を示す図である。
【図３】第１の実施形態に係るリレーUEの動作の一例を示すフローチャートである。
【図４】第１の実施形態に係るリモートUEの動作の一例を示すフローチャートである。
【図５】第１の実施形態に係るサイドリンク通信手順の一例を示すシーケンス図である。
【図６】第２の実施形態に係るリレーUEの動作の一例を示すフローチャートである。
【図７】第２の実施形態に係るリモートUEの動作の一例を示すフローチャートである。
【図８】第２の実施形態に係るサイドリンク通信手順の一例を示すシーケンス図である。
【図９】第３の実施形態に係るリレーUEの動作の一例を示すフローチャートである。
【図１０】いくつかの実施形態に係るリレーUEの構成例を示すブロック図である。
【図１１】いくつかの実施形態に係る制御装置（e.g., ProSe functionエンティティ）の構成例を示すブロック図である。
【発明を実施するための形態】
【００３３】
以下では、具体的な実施形態について、図面を参照しながら詳細に説明する。各図面において、同一又は対応する要素には同一の符号が付されており、説明の明確化のため、必要に応じて重複説明は省略される。
【００３４】
以下に示される複数の実施形態は、Evolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム、GSM/GPRSシステム、及びWiMAXシステム等に適用されてもよい。
【００３５】
＜第１の実施形態＞
図１は、本実施形態に係るネットワークの構成例を示している。リレーUE１及びリモートUE２は共にProSeが可能な無線端末（ProSe-enabled UE）であり、端末間ダイレクトインタフェース（i.e., PC5インタフェース又はサイドリンク）１０２上でサイドリンク通信を行うことができる。当該サイドリンク通信は、ProSeダイレクト・ディスカバリ及びProSeダイレクト通信の少なくとも一方を含む。サイドリンク通信は、基地局（eNodeB）３１にアクセスする場合と同様の無線通信技術（E-UTRA technology）を用いて行われる。
【００３６】
リレーUE１は、リモートUE２とPLMN１００（E-UTRAN３及びEPC４）との間でトラフィック（ダウンリンク及びアップリンク）を中継する。幾つかの実装において、リレーUE１は、EPC４にアタッチし、ProSe function エンティティ５と通信するためのPDN connectionを確立し、サイドリンク通信を開始するためにProSe function エンティティ５と通信してもよい。リレーUE１は、例えば、ProSe function エンティティ５によって提供されるネットワークレベル・ディスカバリ（i.e., EPC-level ProSe Discovery）を利用してもよいし、ダイレクト・ディスカバリ又はダイレクト通信のリレーUE１における起動（有効化、activation）を許可することを示すメッセージをProSe function エンティティ５から受信してもよい。リレーUE１は、さらに、ProSe function エンティティ５とは異なる他のPacket Data Network（PDN）と通信するためのPDN connectionを確立し、当該PDNのノードと通信してもよい。
【００３７】
リモートUE２は、リレーUE１との間のダイレクトインタフェース（i.e., PC5インタフェース又はサイドリンク）１０２を介して、ProSe function エンティティ５又は他のPDNのノードと通信する。図１の例では、リモートUE２は、eNodeB３１のセル３２の外に位置している（アウト・オブ・カバレッジ）。しかしながら、リモートUE２は、セル３２内に位置してもよく、何らかの条件（例えば、ユーザーによる選択）に基づいてPLMN１００に接続不能な状態であってもよい。リモートUE２は、PLMN１００に接続できない条件の場合に（e.g., カバレッジ外）、リレーUE１とのサイドリンク通信を行う。
【００３８】
なお、本明細書では、便宜上、リレーUE１とリモートUE２の間のサイドリンク通信を「パーシャルカバレッジでのサイドリンク通信」と呼ぶ。しかしながら、本明細書における「パーシャルカバレッジでのサイドリンク通信」は、リモートUE２が様々な要因によってPLMN１００に接続できない条件にある場合のカバレッジ内のリレーUE１とリモートUE２とのサイドリンク通信を含む。本明細書における「パーシャルカバレッジでのサイドリンク通信」は、ProSe UE-to-Network Relayingと呼ぶこともできる。
【００３９】
リモートUE２がPLMN１００に接続不能であることは、PLMN１００内のいずれかのeNodeB３１から送信される無線信号の受信品質（e.g., Reference Signal Received Power（RSRP）又はReference Signal Received Quality（RSRQ））が所定の閾値以下であることにより判定されてもよい。言い換えると、リモートUE２は、PLMN１００の無線信号を正常に受信できないことにより、PLMN１００に接続不能であることを判定してもよい。これに代えて、リモートUE２は、eNodeB３１からの無線信号を受信できるものの、PLMN１００への接続（e.g., EPC４へのアタッチ）を拒絶された場合に、PLMN１００に接続不能であることを判定してもよい。これに代えて、リモートUE２は、PLMN１００への接続が許可されるものの、ProSe functionエンティティ５との通信を正常に行えない場合に、PLMN１００に接続不能であることを判定してもよい。これに代えて、リモートUE２は、ユーザの指示又はPLMN１００内の制御装置（e.g., ProSe functionエンティティ５、又はOperation Administration and Maintenance（OAM）サーバ）の指示により強制的にPLMN１００との接続を切断又は不活性化（deactivate）する場合に、PLMN１００に接続不能であることを判定してもよい。
【００４０】
eNodeB３１は、無線アクセスネットワーク（i.e., E-UTRAN）３内に配置されたエンティティであり、セル３２を管理し、E-UTRA technologyを用いてリレーUE１と通信（１０１）することができる。
【００４１】
コアネットワーク（i.e., EPC）４は、複数のユーザープレーン・エンティティ（e.g., Serving Gateway (S-GW)及びPacket Data Network Gateway (P-GW)）、及び複数のコントロールプレーン・エンティティ（e.g., Mobility Management Entity（MME）及びHome Subscriber Server（HSS））を含む。複数のユーザープレーン・エンティティは、E-UTRAN３と外部ネットワーク（PDN）との間でリレーUE１及びリモートUE２のユーザデータを中継する。複数のコントロールプレーン・エンティティは、リレーUE１のモビリティ管理、セッション管理（ベアラ管理）、加入者情報管理、及び課金管理を含む様々な制御を行う。
【００４２】
図２は、パーシャルカバレッジでのサイドリンク通信（ProSe UE-to-Network Relaying）で利用される参照点（Reference points）を示している。参照点は、インタフェースと呼ばれることもある。図２は、リレーUE１及びリモートUE２が同じPLMN１００のサブスクリプションを利用する非ローミング・アーキテクチャ（non-roaming architecture）を示している。しかしながら、リモートUE２のHome PLMN（HPLMN）は、リレーUE１のHPLMNと異なってもよい。パーシャルカバレッジでのサイドリンク通信（ProSe UE-to-Network Relaying）の主要な用途の１つとしてpublic safety用途が想定されている。例えばpublic safety用途では、PLMN１００内のリレーUE１がPLMN１００とのサブスクリプションを持たないリモートUE２とサイドリンク通信を行ってもよい。
【００４３】
PC1参照点は、リレーUE１及びリモートUE２の各々のProSeアプリケーションとProSeアプリケーションサーバ６との間の参照点である。PC1参照点は、アプリケーションレベルのシグナリングに対する要件（requirements）を定義するために使用される。PC1参照点は、EPC４のユーザープレーンに依存しており、UE１とProSeアプリケーションとProSeアプリケーションサーバ６との間の通信は、EPC４のユーザープレーン上で転送される。したがって、ProSeアプリケーションサーバ６は、SGi参照点を介してEPC４（つまり、P-GW）と通信する。
【００４４】
PC2参照点は、ProSeアプリケーションサーバ６とProSe function エンティティ５との間の参照点である。PC2参照点は、ProSe function エンティティ５を介して3GPP EPSによって提供されるProSe機能（ProSe functionality）とProSeアプリケーションサーバ６との間のインタラクションを定義するために使用される。
【００４５】
PC3参照点は、リレーUE１及びリモートUE２の各々とProSe function エンティティ５との間の参照点である。PC3参照点は、UE（リレーUE及びリモートUE２）とProSe function エンティティ５との間のインタラクション（e.g., UE registration、application registration、及び ProSe Direct Discovery and EPC-level ProSe Discovery requestsの承認（authorization））を定義するために使用される。PC3参照点は、EPC４のユーザープレーンに依存しており、UE１とProSe function エンティティ５との間のProSe 制御シグナリングはEPC４のユーザープレーン上で転送される。したがって、ProSe function エンティティ５は、SGi参照点を介してEPC４（つまり、P-GW）と通信する。
【００４６】
PC4a参照点は、EPC４内のHSSとProSe function エンティティ５との間の参照点である。当該参照点は、例えば、ProSeサービスに関する加入者情報を取得するためにProSe function エンティティ５によって使用される。
【００４７】
PC5参照点は、既に説明されているように、ProSe-enabled UEsの間の参照点であり、ProSe Direct Discovery、ProSe Direct Communication、及び ProSe UE-to-Network Relayのコントロールプレーン及びユーザープレーンのために使用される。本実施形態に係るリレーUE１及びリモートUE２は、PC5参照点においてダイレクト・ディスカバリ及びダイレクト通信の少なくとも一方を含むサイドリンク通信を行う。
【００４８】
続いて以下では、本実施形態に係るパーシャルカバレッジでのサイドリンク通信手順について説明する。図３は、パーシャルカバレッジでのサイドリンク通信に関するリレーUE１の動作の一例（処理３００）を示すフローチャートである。ブロック３０１では、リレーUE１は、PLMN１００と接続可能な条件（e.g., PLMN１００のカバレッジ内）においてPLMN１００からサイドリンク通信の起動（activation）要求を受信する。PLMN１００と接続可能な条件は、少なくともリレーUE１がPLMN１００のカバレッジ内（e.g., セル３２内）であることを含む。言い換えると、「リレーUE１がPLMN１００のカバレッジ内（e.g., セル３２内）であること」は、リレーUE１がPLMN１００と接続可能な条件であることの必要条件であり、必要十分条件であってもよい。PLMN１００と接続可能な条件は、リレーUE１がカバレッジ内（e.g., セル３２内）であることに加えて、ユーザによる選択によってリレーUE１のPLMN１００への接続が禁止されていないことを含んでもよい。なお以下では、PLMN１００と接続可能な条件は、リレーUE１がPLMN１００のカバレッジ内にあることを意味するものとして説明する。
【００４９】
当該起動要求は、後述されるように、eNodeB３１、EPC４内のMME、ProSe functionエンティティ５、又はPLMN１００に結合されたOperation Administration and Maintenance（OAM）サーバから送信されてもよい。いくつかの実装において、当該起動要求は、リモートUE２がカバレッジ外になったこと又はカバレッジ外になりそうであることをネットワーク（e.g., eNodeB３１、MME、又はProSe functionエンティティ５）が検出した場合に送信されてもよい。さらに又はこれに代えて、当該起動要求は、リモートUE２からの通知（e.g., カバレッジ外になりそうであること示す）をPLMN１００において受信したことに応答して送信されてもよい。さらに又はこれに代えて、当該起動要求は、ネットワーク設備がダウンしたこと又はダウンするおそれがあることをネットワーク内の制御装置（e.g., eNodeB３１、MME、ProSe functionエンティティ５、又はOAMサーバ）が検出した場合に送信されてもよい。
【００５０】
ブロック３０２では、リレーUE１は、ブロック３０１の起動要求の受信に応答して、PLMN１００に接続できない条件のリモートUE２とのサイドリンク通信を事前設定パラメータ（事前設定された無線パラメータ）に従って開始する。事前設定された無線パラメータは、例えば、周波数バンド識別子、中心周波数（E-UTRA Absolute Radio Frequency Channel Number（EARFCN））、最大送信電力（P-MAX-ProSe）、Time Division Duplex（TDD）アップリンク−ダウンリンク構成、リソースブロック（Physical Resource Blocks（PRBs））の数、開始PRBのオフセット、終了PRBのオフセット、のうち少なくとも１つを指定する。いくつかの実装において、リレーUE１は、PLMN１００に接続できない条件にあるリモートUE２を探索するためのダイレクト・ディスカバリのために、事前設定された無線パラメータに従ってディスカバリ・メッセージ（ディスカバリ信号）のアナウンス（送信）又はモニター（受信）を行ってもよい。
【００５１】
リレーUE１と同様に、リモートUE２も事前設定された無線パラメータに従ってパーシャルカバレッジでのサイドリンク通信を開始する。リレーUE１が保持する事前設定された無線パラメータは、リモートUE２が保持するそれと同一の又は対応する設定を含む。
【００５２】
図４は、パーシャルカバレッジでのサイドリンク通信に関するリモートUE２の動作の一例（処理４００）を示すフローチャートである。ブロック４００では、リモートUE２は、PLMN１００に接続不能であることを検出する。例えば、リモートUE２は、eNodeB３１からのダウンリンク信号の受信品質（e.g., RSRP又はRSRQ）が所定の閾値以下であることにより、PLMN１００のカバレッジ外であることを判定してもよい。ブロック４０２では、リモートUE２は、PLMN１００のカバレッジ内のリレーUE１とのサイドリンク通信を事前設定パラメータ（事前設定された無線パラメータ）に従って開始する。
【００５３】
本実施形態で説明された「事前設定された無線パラメータ」は、リレーUE１（又はリモートUE２）に実装された内蔵メモリ又はリレーUE１（又はリモートUE２）がインタフェースを介して通信することができる取り外し可能なメモリ（e.g., Universal Integrated Circuit Card（UICC））に格納される。内蔵メモリ又は取り外し可能なメモリは、揮発性（volatile）メモリ若しくは不揮発性（nonvolatile）メモリ又はこれらの組合せである。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。
【００５４】
UICCは、GSMシステム、UMTS、及びLTEシステム等のセルラー通信システムにおいて使用されるスマートカードである。UICCは、プロセッサ及びメモリを有し、ネットワーク認証のためのSubscriber Identity Module（SIM）アプリケーション又はUniversal Subscriber Identity Module （USIM）アプリケーションを実行する。UICCは厳密にはUIM、SIM、及びUSIMとは異なる。しかしながら、これらの用語はよく混在して用いられる。したがって、本明細書では主にUICCの用語を用いるが、本明細書中でのUICCの用語は、UIM、SIM、又はUSIM等を意味する場合もある。
【００５５】
図３及び図４を用いて説明したように、リレーUE１及びリモートUE２は共に、同一の又は対応する事前設定された無線パラメータに従ってパーシャルカバレッジでのサイドリンク通信を行うよう構成されている。したがって、リレーUE１及びリモートUE２は、パーシャルカバレッジでのサイドリンク通信をより安定的に行うことができる。例えば、本実施形態よれば、パーシャルカバレッジでのサイドリンク通信に使用する無線リソースの情報をリレーUE１及びリモートUE２の間で共有するための手順（e.g., eNodeB３１又はリレーUE１からリモートUE２にサイドリンク通信のための無線リソース知らせること）を省略できる。
【００５６】
なお、3GPP Release 12は、２つのUE（例えば、リレーUE１及びリモートUE２）が共にPLMN１００に接続できない条件（e.g., カバレッジ外）の場合に、これらのUEがMobile Equipment（ME）又はUICCに事前設定された無線パラメータ（e.g., Public Safety ProSe Carrier）を使用してPLMN１００の支援無しでのサイドリンク通信（i.e., out of coverage ProSe Direct Communication）を行うことを規定している（例えば、非特許文献２を参照）。本実施形態で説明されたパーシャルカバレッジでのサイドリンク通信のための「事前設定された無線パラメータ」は、PLMN１００の支援無しでのサイドリンク通信のための「事前設定された無線パラメータ」と共通であってもよい。言い換えると、パーシャルカバレッジでのサイドリンク通信のための「事前設定された無線パラメータ」は、リレーUE１及びリモートUE２が共にPLMN１００に接続できない条件の場合に、PLMN１００の支援無しでのサイドリンク通信を行うためにも使用されてもよい。これにより、リレーUE１及びリモートUE２に事前設定されるデータ量を削減できる。
【００５７】
図５は、本実施形態に係るパーシャルカバレッジでのサイドリンク通信手順の一例（処理５００）を示すシーケンス図である。図５の例では、リレーUE１及びリモートUE２はダイレクト・ディスカバリを行う。
【００５８】
ブロック５０１では、リモートUE２は、PLMN１００のカバレッジ外であること又はカバレッジ外になりそうなことを検出する。既に説明したように、リモートUE２は、PLMN１００に接続不能であること又は接続不能になりそうなことを検出してもよい。
【００５９】
ブロック５０２では、PLMN１００内の制御装置（e.g., eNodeB３１、MME、ProSe functionエンティティ５、又はOAMサーバ）は、リモートUE２がカバレッジ外であること又はカバレッジ外になりそうなことを検出する。既に説明したように、PLMN１００は、リモートUE２が接続するネットワーク、基地局（eNodeB）、又はセル等のネットワーク設備がダウンしたこと又はダウンするおそれがあることを検出してもよい。
【００６０】
ブロック５０３では、リモートUE２は、事前設定パラメータ（事前設定された無線パラメータ）に従ってダイレクト・ディスカバリのためのアナウンス（送信）を開始する。
【００６１】
ブロック５０４では、PLMN１００内の制御装置（e.g., eNodeB３１、MME、ProSe functionエンティティ５、又はOAMサーバ）は、リレーUE１に起動要求を送信する。当該起動要求は、パーシャルカバレッジでのサイドリンク通信を事前設定パラメータ（事前設定された無線パラメータ）に従って開始することをリレーUE１に要求する。
【００６２】
いくつかの実装において、PLMN１００は、リモートUE２が属していたセル又はその周辺セルのセルエッジに位置するUEをリレーUE１として選択してもよい。これに代えて、PLMN１００は、特定の基地局（eNodeB）又はセルがダウンする場合、ダウンする基地局又はセルの周辺セル内（特にそのセルエッジ）に位置するUEをリレーUE１として選択してもよい。これに代えて、あるオペレータのネットワーク（PLMN）がダウンする場合、他のPLMN（ここではPLMN１００）に接続しているUEをリレーUE１として選択してもよい。
【００６３】
ブロック５０５では、リレーUE１は、ブロック５０４の起動要求に応答して、パーシャルカバレッジでのサイドリンク通信の起動が可能であるか否かをPLMN１００に返信する。例えば、リレーUE１は、バッテリー残量が少ない場合、又は負荷が高い場合に、起動要求を拒絶してもよい。なお、ブロック５０５の返信メッセージの送信は省略されてもよい。
【００６４】
ブロック５０６では、リレーUE１は、ブロック５０４の起動要求に応答して、事前設定された無線パラメータに従ってダイレクト・ディスカバリのための受信を開始する。ブロック５０７では、リレーUE１は、リモートUE２より送信されたディスカバリ・メッセージを受信する。
【００６５】
図５の例は、一例に過ぎない。例えば、リレーUE１がダイレクト・ディスカバリのためのディスカバリ・メッセージの送信を行い、リモートUE２がディスカバリ・メッセージの受信を行ってもよい。また、ダイレクト・ディスカバリに代えて又はダイレクト・ディスカバリの後にダイレクト通信が行われてもよい。事前設定された無線パラメータの使用を除いて、リレーUE１とリモートUE２によるパーシャルカバレッジでのサイドリンク通信は、カバレッジ外又はカバレッジ内のサイドリンク通信と同様の手順で行われてもよい。
【００６６】
＜第２の実施形態＞
本実施形態では、第１の実施形態で説明されたサイドリンク通信手順の変形例が説明される。本実施形態に係る公衆地上移動通信ネットワークの構成例は図１及び図２と同様である。本実施形態では、リレーUE１及びリモートUE２は、パーシャルカバレッジでのサイドリンク通信を事前設定された無線パラメータに従って開始した後に、eNodeB３１により指定された無線パラメータに従うサイドリンク通信を開始する。
【００６７】
図６は、パーシャルカバレッジでのサイドリンク通信に関するリレーUE１の動作の一例（処理６００）を示すフローチャートである。ブロック６０１及び６０２における処理は、図３のブロック３０１及び３０２における処理と同様である。ブロック６０３では、リレーUE１は、リモートUE２との事前設定パラメータ（事前設定された無線パラメータ）に従うサイドリンク通信（e.g., ダイレクト・ディスカバリ）に成功した場合、PLMN１００内のeNodeB３１によって指定される無線パラメータに従うサイドリンク通信（e.g., ダイレクト通信）を当該リモートUE２との間で開始する。
【００６８】
図７は、パーシャルカバレッジでのサイドリンク通信に関するリモートUE２の動作の一例（処理７００）を示すフローチャートである。ブロック７０１及び７０２における処理は、図４のブロック４０１及び４０２における処理と同様である。ブロック７０３では、リモートUE２は、リレーUE１との事前設定パラメータ（事前設定された無線パラメータ）に従うサイドリンク通信（e.g., ダイレクト・ディスカバリ）に成功した場合、PLMN１００内のeNodeB３１によって指定される無線パラメータに従うサイドリンク通信（e.g., ダイレクト通信）を当該リレーUE１との間で開始する。
【００６９】
リモートUE２は、eNodeB３１によって指定される無線パラメータをリレーUE１から受信すればよい。リレーUE１は、ダイレクトインタフェース１０２（i.e., サイドリンク又はPC5インタフェース）の制御チャネル、例えばPhysical sidelink broadcast channel（PSBCH）又はPhysical sidelink control channel（PSCCH）、においてeNodeB３１によって指定される無線パラメータをリモートUE２に送信してもよい。PSBCHは、ProSeのための制御論理チャネル（Sidelink Broadcast Control Channel（SBCCH））を送信する。SBCCHは、システム情報及び同期情報を含む。リレーUE１は、カバレッジ内（セル３２）においてeNodeB３１から受信した無線パラメータ（例えば、無線リソース設定）からSBCCHのコンテンツを導出する。カバレッジ外のリモートUE２は、リレーUE１を同期基準（synchronization reference）として選択し、リレーUE１から受信したSBCCHのコンテンツを使用する。
【００７０】
図８は、本実施形態に係るパーシャルカバレッジでのサイドリンク通信手順の一例（処理８００）を示すシーケンス図である。図８の例では、リレーUE１及びリモートUE２は、事前設定パラメータ（事前設定された無線パラメータ）に従ってダイレクト・ディスカバリを行い、ダイレクト・ディスカバリに成功した後に、eNodeB３１より指定された無線パラメータに従うダイレクト通信を行う。
【００７１】
ブロック８０１〜８０５における処理は、図５のブロック５０１〜５０７における処理と同様である。なお、図５に関して説明したように、ブロック８０５では、リレーUE１がディスカバリ・メッセージ（ディスカバリ信号）をアナウンス（送信）してもよいし、これに代えてリモートUE２がこれをアナウンスしてもよい。
【００７２】
ブロック８０６では、リレーUE１は、ダイレクト通信のための無線設定をeNodeB３１から受信する。ダイレクト通信のための無線設定は、ダイレクト通信に使用するための無線リソース（e.g., 周波数リソース、時間リソース、リソースブロック、若しくは送信電力、又はこれらの任意の組み合せ）の指定を含む。ある実装において、eNodeB３１は、System Information Block（SIB）18において、Autonomous resource selectionに使用するためのリソースプールを送信してもよい。この場合、リレーUE１は、SIB18で指定されたリソースプールの中から、サイドリンク・コントロール及びデータのためのリソースを自律的に選択してもよい。
【００７３】
これに代えて、リレーUE１は、ダイレクト通信のための無線設定の受信に先立って、当該無線設定をeNodeB３１に要求してもよい。例えば、リレーUE１は、ProSeダイレクト通信に関心があることを示すProSe Direct indicationをeNodeB３１に送信してもよい。eNodeB３１は、当該ProSe Direct indicationに応答して、ProSeダイレクト通信のAutonomous resource selectionに使用するためのリソースプールを個別（dedicated）RRCシグナリングを用いてリレーUE１に割り当ててもよい。
【００７４】
これらに代えて、パーシャルカバレッジでのProSeダイレクト通信のためにScheduled resource allocationが使用されてもよい。すなわち、リレーUE１は、a ProSe Buffer Status Report（BSR）を伴うスケジューリング・リクエストをeNodeB３１に送信してもよい。eNodeB３１は、当該スケジューリング・リクエストに応答して、ProSeダイレクト通信のScheduled resource allocationに従って、サイドリンク・コントロール及びデータのためのリソースをリレーUE１にスケジュールしてもよい。
【００７５】
ブロック８０７では、リレーUE１及びリモートUE２は、eNodeB３１より指定された無線パラメータに従ってダイレクト通信を行う。既に説明したように、リレーUE１は、eNodeB３１によって指定された無線パラメータをリモートUE２に知らせるために、PSBCHにおいてこれを送信してもよい。
【００７６】
図８の手順では、ダイレクト・ディスカバリ手順を事前設定された無線パラメータに従って行い、その後にダイレクト通信をeNodeB３１により指定された無線パラメータに従って行う例を示した。図８の手順は、パーシャルカバレッジでのサイドリンク通信を事前設定された無線パラメータに従って開始した後に、eNodeB３１により指定された無線パラメータに従うサイドリンク通信を開始する手順の具体例の１つである。この手順は、以下のように変形されてもよい。
【００７７】
例えば、リレーUE１は、事前設定された無線パラメータに従ってサイドリンクにおいて、eNodeB３１により指定された無線パラメータを示すブロードキャストチャネル（PSBCH）を送信してもよい。この場合、リモートUE２は、事前設定された無線パラメータに従ってリレーUE１からのPSBCHを受信し、eNodeB３１により指定された無線パラメータを受信されたPSBCH から取得し、eNodeB３１により指定された無線パラメータに従ってダイレクト・ディスカバリのためのディスカバリ信号の送信または受信を行ってもよい。
【００７８】
これに代えて、リレーUE１は、事前設定された無線パラメータに従ってダイレクト・ディスカバリを行い、さらに事前設定された無線パラメータに従ってリモートUE２とのダイレクト通信を開始し、その後に当該ダイレクト通信のための無線リソースをeNodeB３１により指定された無線リソースに変更してもよい。
【００７９】
さらに、事前設定された無線パラメータからeNodeB３１により指定された無線パラメータへの切り替えは、eNodeB３１又はその他のネットワークノードからの指示に従って行われてもよい。これに代えて、当該切り替えは、事前設定された無線パラメータでのサイドリンク通信を開始してから所定時間が経過した後に、リレーUE１及びリモートUE２によって自発的に行われてもよい。
【００８０】
以上の説明から理解されるように、本実施形態では、リレーUE１及びリモートUE２は、パーシャルカバレッジでのサイドリンク通信を事前設定された無線パラメータに従って開始した後に、eNodeB３１により指定された無線パラメータに従うサイドリンク通信を開始するよう構成されている。これにより、事前設定された無線パラメータを用いる他のUE間のサイドリンク通信に対する干渉を軽減することができる。
【００８１】
＜第３の実施形態＞
本実施形態では、第１及び第２の実施形態で説明されたサイドリンク通信手順の変形例が説明される。本実施形態に係る公衆地上移動通信ネットワークの構成例は図１及び図２と同様である。
【００８２】
第１及び第２の実施形態と同様に、本実施形態に係るリレーUE１は、PLMN１００のカバレッジ内（e.g., セル３２内）においてPLMN１００からサイドリンク通信の起動（activation）要求を受信するよう構成されている。ただし、本実施形態では、当該起動要求は、パーシャルカバレッジでのサイドリンク通信（i.e., カバレッジ外のリモートUE２とのサイドリンク通信）のために、リレーUE１及びリモートUE２に事前設定された無線パラメータ（第１の無線パラメータと呼ぶ）とeNodeB３１によって指定される無線パラメータ（第２の無線パラメータと呼ぶ）のどちらを使用するべきであるかを示す表示（indication）を含む。リレーUE１は、当該表示に従って、第１の無線パラメータと第２の無線パラメータのどちらをパーシャルカバレッジでのサイドリンク通信のために使用するかを決定するよう構成されている。
【００８３】
図９は、本実施形態に係るリレーUE１の動作の一例（処理９００）を示すフローチャートである。ブロック９０１では、リレーUE１は、PLMN１００のカバレッジ内（e.g., セル３２内）においてPLMN１００からサイドリンク通信の起動（activation）要求を受信する。上述のように、当該起動要求は、第１の無線パラメータと第２の無線パラメータのどちらをパーシャルカバレッジでのサイドリンク通信に使用するべきであるかを示す表示を含む。
【００８４】
ブロック９０２では、リレーUE１は、起動要求に含まれる無線パラメータ表示を参照し、第１の無線パラメータと第２の無線パラメータのどちらを使用するべきかを判定する。第１の無線パラメータ（i.e., リレーUE１及びリモートUE２に事前設定された無線パラメータ）を使用するべきである場合、リレーUE１は、事前設定パラメータ（第１の無線パラメータ）に従ってパーシャルカバレッジでのサイドリンク通信を起動する（ブロック９０３）。一方、第２の無線パラメータ（i.e., eNodeB３１より指定された無線パラメータ）を使用するべきである場合、リレーUE１は、eNodeB３１より指定された無線パラメータに従ってパーシャルカバレッジでのサイドリンク通信を起動する（ブロック９０４）。
【００８５】
本実施形態で説明された方法によれば、リレーUE１は、ネットワーク（PLMN１００）からの指示に応じてリレーUE１によるパーシャルカバレッジでのサイドリンク通信の開始手順を変更できる。ネットワーク（PLMN１００）は、例えば、リモートUE２の状態（例えば、eNodeB３１より指定された無線パラメータを保持しているか否か）に応じて、第１の無線パラメータ及び第２の無線パラメータのどちらをリレーUE１が使用するべきかを決定してもよい。
【００８６】
最後に上述の実施形態に係るリレーUE１、リモートUE２、及びネットワーク内の制御装置（e.g., eNodeB３１、MME、ProSe functionエンティティ５、OAMサーバ）の構成例について説明する。図１０は、リレーUE１の構成例を示すブロック図である。リモートUE２も図１０と同様の構成を有してもよい。Radio Frequency（RF）トランシーバ１００１は、PLMN１００内のeNodeB３１と通信するためにアナログRF信号処理を行う。RFトランシーバ１００１は、さらに、UE１間のProSeダイレクト・ディスカバリ及びダイレクト通信のために使用されてもよい。RFトランシーバ１００１は、PLMN１００内のeNodeB３１との通信に使用される第１のトランシーバと、他のUE（e.g., リモートUE２）とのProSeダイレクト・ディスカバリ及びダイレクト通信に使用される第２のトランシーバを含んでもよい。RFトランシーバ１００１により行われるアナログRF信号処理は、周波数アップコンバージョン、周波数ダウンコンバージョン、及び増幅を含む。RFトランシーバ１００１は、アンテナ１００２及びベースバンドプロセッサ１００３と結合される。すなわち、RFトランシーバ１００１は、変調シンボルデータ（又はOFDMシンボルデータ）をベースバンドプロセッサ１００３から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをベースバンドプロセッサ１００３に供給する。
【００８７】
ベースバンドプロセッサ１００３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、(f) 拡散／逆拡散、及び(g) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００８８】
ベースバンドプロセッサ１００３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１００４と共通化されてもよい。
【００８９】
アプリケーションプロセッサ１００４は、CPU、MPU、マイクロプロセッサ、又はプロセッサコアとも呼ばれる。アプリケーションプロセッサ１００４は、複数のプロセッサ（複数のプロセッサコア）を含んでもよい。アプリケーションプロセッサ１００４は、メモリ１００６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１の各種機能を実現する。
【００９０】
いくつかの実装において、図１０に破線（１００５）で示されているように、ベースバンドプロセッサ１００３及びアプリケーションプロセッサ１００４は、１つのチップ上に集積されてもよい。言い換えると、ベースバンドプロセッサ１００３及びアプリケーションプロセッサ１００４は、１つのSystem on Chip（SoC）デバイス１００５として実装されてもよい。SoCデバイスは、システムLarge Scale Integration（LSI）またはチップセットと呼ばれることもある。
【００９１】
メモリ１００６は、揮発性メモリ若しくは不揮発性メモリ又はこれらの組合せである。メモリ１００６は、物理的に独立した複数のメモリデバイスを含んでもよい。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。例えば、メモリ１００６は、ベースバンドプロセッサ１００３、アプリケーションプロセッサ１００４、及びSoC１００５からアクセス可能な外部メモリデバイスを含んでもよい。メモリ１００６は、ベースバンドプロセッサ１００３内、アプリケーションプロセッサ１００４内、又はSoC１００５内に集積された内蔵メモリデバイスを含んでもよい。さらに、メモリ１００６は、UICC内のメモリを含んでもよい。
【００９２】
メモリ１００６は、ProSeモジュール１００７及び事前設定パラメータ（事前設定された無線パラメータ）１００８を格納する。図１０に示された無線パラメータ１００８は、上述の実施形態で説明された「リレーUE１に事前設定された無線パラメータ」に対応する。既に説明したようにメモリ１００６は、物理的に独立した複数のメモリデバイスを含んでもよく、これらのソフトウェア及びデータは、同じメモリデバイスに格納されてもよいし、異なるメモリデバイスに格納されてもよい。
【００９３】
ProSeモジュール１００７は、ベースバンドプロセッサ１００３又はアプリケーションプロセッサ１００４により実行されるソフトウェアモジュールを含む。これにより、ベースバンドプロセッサ１００３又はアプリケーションプロセッサ１００４は、ProSe functionエンティティ５、MME、及びeNodeB３１と通信し、PLMN１００のカバレッジ内においてPLMN１００に支援されたProSe通信（e.g., EPC-level ProSe Discovery、ProSe Direct Discovery、ProSe Direct Communication）、及びProSe通信に必要な登録手順を実行する。
【００９４】
さらに、ProSeモジュール１００７は、上述の実施形態で説明されたパーシャルカバレッジでのサイドリンク通信に関するリレーUE１の処理を実行するための命令群およびデータを含む。これにより、ベースバンドプロセッサ１００３又はアプリケーションプロセッサ１００４は、ProSeモジュール１００７を含むソフトウェアモジュール群をメモリ１００６から読み出して実行することで、上述の実施形態で説明されたリレーUE１の処理を行うことができる。
【００９５】
図１１は、ネットワーク内の制御装置（e.g., eNodeB３１、MME、ProSe functionエンティティ５、OAMサーバ）の構成例を示している。図１１を参照すると、当該制御装置は、ネットワークインタフェース１１０１、プロセッサ１１０２、及びメモリ１１０３を含む。ネットワークインタフェース１１０１は、リレーUE１と通信するために使用される。ネットワークインタフェース１１０１は、例えば、IEEE 802.3 seriesに準拠したネットワークインタフェースカード（NIC）を含んでもよい。
【００９６】
プロセッサ１１０２は、メモリ１１０３からソフトウェア（コンピュータプログラム）を読み出して実行することで、上述の実施形態においてシーケンス図及びフローチャートを用いて説明されたPLMN１００内の制御装置の処理（e.g., パーシャルカバレッジでのサイドリンク通信の起動要求の送信）を行う。プロセッサ１１０２は、例えば、マイクロプロセッサ、MPU、又はCPUであってもよい。プロセッサ１１０２は、複数のプロセッサを含んでもよい。
【００９７】
メモリ１１０３は、揮発性メモリ及び不揮発性メモリの組み合わせによって構成される。メモリ１１０３は、プロセッサ１１０２から離れて配置されたストレージを含んでもよい。この場合、プロセッサ１１０２は、図示されていないI/Oインタフェースを介してメモリ１１０３にアクセスしてもよい。
【００９８】
図１１の例では、メモリ１１０３は、ProSeモジュール１１０４を含むソフトウェアモジュール群を格納するために使用される。ProSeモジュール１１０４は、上述の実施形態において説明された制御装置の処理（e.g., パーシャルカバレッジでのサイドリンク通信の起動要求の送信）を実行するための命令群およびデータを含む。プロセッサ１１０２は、ProSeモジュール１１０４を含むソフトウェアモジュール群をメモリ１１０３から読み出して実行することで、上述の実施形態において説明された制御装置の処理を行うことができる。
【００９９】
図１０及び図１１を用いて説明したように、上述の実施形態に係るリレーUE１、リモートUE２、及びPLMN１００内の制御装置が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１００】
＜その他の実施形態＞
上述の実施形態は、各々独立に実施されてもよいし、適宜組み合わせて実施されてもよい。
【０１０１】
上述の実施形態では、リレーUE１は、パーシャルカバレッジでのサイドリンク通信に使用される事前設定された無線パラメータ、又はこれに従って決定されたパーシャルカバレッジでのサイドリンク通信に使用される無線リソース（e.g., 周波数リソース）をeNodeB３１に通知してもよい。これにより、eNodeB３１は、リレーUE１とのアップリンク通信（１０１）又は他のUEとのアップリンク通信のスケジューリング（無線リソース割り当て）の際に、パーシャルカバレッジでのサイドリンク通信に使用される無線リソースを考慮することができる。なお、リレーUE１は、パーシャルカバレッジでのサイドリンク通信に使用される事前設定された無線パラメータ、又はこれに従って決定されたパーシャルカバレッジでのサイドリンク通信に使用される無線リソース（e.g., 周波数リソース）を他のノード（e.g., ProSe functionエンティティ５又はOAMサーバ）に通知してもよい。
【０１０２】
上述の実施形態では、サイドリンク通信のための第２の無線パラメータの指定およびリレーUE１への通知がeNodeB３１によって行われる例を示した。しかしながら、第２の無線パラメータの指定およびリレーUE１への通知は、他のノード（e.g., ProSe functionエンティティ５又はOAMサーバ）によって行われてもよい。
【０１０３】
上述の実施形態では、主にEPSに関する具体例を用いて説明を行った。しかしながら、これらの実施形態は、その他の移動通信システム、例えば、Universal Mobile Telecommunications System（UMTS）、3GPP2 CDMA2000システム（1xRTT、High Rate Packet Data（HRPD））、Global System for Mobile communications（GSM）/General packet radio service（GPRS）システム、及びモバイルWiMAXシステム等に適用されてもよい。この場合、上述の実施形態で説明されたeNodeB３１によって行われるサイドリンク通信に関する処理又は手順は、無線リソース管理機能を持つ無線アクセスネットワークノード（e.g., UMTSにおけるRadio Network Controller（RNC）、又はGSMシステムにおけるBase Station Controller（BSC））によって行われてもよい。
【０１０４】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１０５】
例えば、上記の実施形態の一部又は全部は、以下の付記のようにも記載され得るが、以下には限られない。
【０１０６】
（付記１）
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークから受信した要求に応答して、前記ネットワークに接続できない条件の第２の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【０１０７】
（付記２）
前記第１の無線パラメータは、前記無線端末装置および前記第２の無線端末が共に前記ネットワークに接続できない条件の場合に、前記ネットワークの支援無しで前記サイドリンク通信を行うためにも使用される、
付記１に記載の無線端末装置。
【０１０８】
（付記３）
前記第１の無線パラメータは、前記無線端末装置内に又は前記無線端末装置に結合されるUniversal Integrated Circuit Card（UICC）内に事前に設定されている、
付記１又は２に記載の無線端末装置。
【０１０９】
（付記４）
前記少なくとも１つのプロセッサは、前記第２の無線端末との間で前記第１の無線パラメータに従う前記サイドリンク通信に成功した場合、前記ネットワークによって指定される第２の無線パラメータに従う前記サイドリンク通信を前記第２の無線端末との間で開始するよう構成されている、
付記１〜３のいずれか１項に記載の無線端末装置。
【０１１０】
（付記５）
前記少なくとも１つのプロセッサは、前記第２の無線端末との間で前記第１の無線パラメータに従うダイレクト・ディスカバリに成功した場合、前記ネットワークによって指定される第２の無線パラメータに従うダイレクト通信を前記第２の無線端末との間で開始するよう構成されている、
付記１〜３のいずれか１項に記載の無線端末装置。
【０１１１】
（付記６）
前記少なくとも１つのプロセッサは、前記第１の無線パラメータ、又は前記第１の無線パラメータに従って決定された前記サイドリンク通信に使用される周波数リソースを前記ネットワークに通知するよう構成されている、
付記１〜５のいずれか１項に記載の無線端末装置。
【０１１２】
（付記７）
前記少なくとも１つのプロセッサは、前記要求に応答して、前記サイドリンク通信の起動が可能であるか否かを前記ネットワークに返信するよう構成されている、
付記１〜６のいずれか１項に記載の無線端末装置。
【０１１３】
（付記８）
前記要求は、前記第２の無線端末との前記サイドリンク通信のために、前記第１の無線パラメータと前記ネットワークによって指定される第２の無線パラメータのどちらを使用するべきであるかを示す表示を含む、
付記１〜７のいずれか１項に記載の無線端末装置。
【０１１４】
（付記９）
前記少なくとも１つのプロセッサは、前記表示に従って、前記第１の無線パラメータと前記第２の無線パラメータのどちらを前記サイドリンク通信のために使用するかを決定するよう構成されている、
付記８に記載の無線端末装置。
【０１１５】
（付記１０）
前記要求は、前記ネットワーク内の基地局、前記ネットワーク内のモビリティ管理ノード、Operation Administration and Maintenance（OAM）サーバ、又はネットワークに支援された近接サービス通信を制御する制御エンティティから前記無線端末装置に送信される、
付記１〜９のいずれか１項に記載の無線端末装置。
【０１１６】
（付記１１）
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【０１１７】
（付記１２）
前記第１の無線パラメータは、前記無線端末装置および前記第１の無線端末が共に前記ネットワークに接続できない条件の場合に、前記ネットワークの支援無しで前記サイドリンク通信を行うためにも使用される、
付記１１に記載の無線端末装置。
【０１１８】
（付記１３）
前記第１の無線パラメータは、前記無線端末装置内に又は前記無線端末装置に結合されるUniversal Integrated Circuit Card（UICC）内に事前に設定されている、
付記１１又は１２に記載の無線端末装置。
【０１１９】
（付記１４）
前記少なくとも１つのプロセッサは、前記第１の無線端末との間で前記第１の無線パラメータに従う前記サイドリンク通信に成功した場合、前記ネットワークによって指定される第２の無線パラメータに従う前記サイドリンク通信を前記第１の無線端末との間で開始するよう構成されている、
付記１１〜１３のいずれか１項に記載の無線端末装置。
【０１２０】
（付記１５）
前記少なくとも１つのプロセッサは、前記第１の無線端末との間で前記第１の無線パラメータに従うダイレクト・ディスカバリに成功した場合、前記ネットワークによって指定される第２の無線パラメータに従うダイレクト通信を前記第１の無線端末との間で開始するよう構成されている、
付記１１〜１３のいずれか１項に記載の無線端末装置。
【０１２１】
（付記１６）
メモリと、
前記メモリに結合された少なくとも１つのプロセッサと、
を備え、
前記少なくとも１つのプロセッサは、ネットワークと接続できない条件にある第２の無線端末とのサイドリンク通信を事前設定された第１の無線パラメータに従って開始するように前記ネットワークと接続可能な条件にある第１の無線端末に要求するよう構成され、
前記サイドリンク通信は、ダイレクト・ディスカバリ及びダイレクト通信の少なくとも一方を含む、
制御装置。
【０１２２】
（付記１７）
前記第１の無線パラメータは、前記第１の無線端末および前記第２の無線端末が共に前記ネットワークに接続できない条件の場合に、前記ネットワークの支援無しで前記サイドリンク通信を行うためにも使用される、
付記１６に記載の制御装置。
【０１２３】
（付記１８）
前記第１の無線パラメータは、前記第１の無線端末内に又は前記第１の無線端末に結合されるUniversal Integrated Circuit Card（UICC）内に事前に設定されている、
付記１６又は１７に記載の制御装置。
【０１２４】
（付記１９）
第１の無線端末によって行われる方法であって、
ネットワークと接続可能な条件において前記ネットワークから受信した要求に応答して、前記ネットワークに接続できない条件の第２の無線端末とのサイドリンク通信を事前設定された第１の無線パラメータに従って行うこと、ここで前記サイドリンク通信は、ダイレクト・ディスカバリ及びダイレクト通信の少なくとも一方を含む、
を備える、方法。
【０１２５】
（付記２０）
前記第１の無線パラメータは、前記第１の無線端末および前記第２の無線端末が共に前記ネットワークに接続できない条件の場合に、前記ネットワークの支援無しで前記サイドリンク通信を行うためにも使用される、
付記１９に記載の方法。
【０１２６】
（付記２１）
前記第１の無線パラメータは、前記第１の無線端末内に又は前記第１の無線端末に結合されるUniversal Integrated Circuit Card（UICC）内に事前に設定されている、
付記１９又は２０に記載の方法。
【０１２７】
（付記２２）
前記第２の無線端末との間で前記第１の無線パラメータに従う前記サイドリンク通信に成功した場合、前記ネットワークによって指定される第２の無線パラメータに従う前記サイドリンク通信を前記第２の無線端末との間で開始することをさらに備える、
付記１９〜２１のいずれか１項に記載の方法。
【０１２８】
（付記２３）
前記第２の無線端末との間で前記第１の無線パラメータに従うダイレクト・ディスカバリに成功した場合、前記ネットワークによって指定される第２の無線パラメータに従うダイレクト通信を前記第２の無線端末との間で開始することをさらに備える、
付記１９〜２１のいずれか１項に記載の方法。
【０１２９】
（付記２４）
前記第１の無線パラメータ、又は前記第１の無線パラメータに従って決定された前記サイドリンク通信に使用される周波数リソースを前記ネットワークに通知することをさらに備える、
付記１９〜２３のいずれか１項に記載の方法。
【０１３０】
（付記２５）
前記要求に応答して、前記サイドリンク通信の起動が可能であるか否かを前記ネットワークに返信することをさらに備える、
付記１９〜２４のいずれか１項に記載の方法。
【０１３１】
（付記２６）
第２の無線端末によって行われる方法であって、
ネットワークに接続できない条件の場合に、前記ネットワークと接続可能な条件にある第１の無線端末とのサイドリンク通信を事前設定された第１の無線パラメータに従って行うこと、ここで前記サイドリンク通信は、ダイレクト・ディスカバリ及びダイレクト通信の少なくとも一方を含む、
を備える、方法。
【０１３２】
（付記２７）
前記第１の無線パラメータは、前記第１の無線端末及び前記第２の無線端末が共に前記ネットワークに接続できない条件の場合に、前記ネットワークの支援無しで前記サイドリンク通信を行うためにも使用される、
付記２６に記載の方法。
【０１３３】
（付記２８）
前記第１の無線パラメータは、前記第２の無線端末内に又は前記第２の無線端末に結合されるUniversal Integrated Circuit Card（UICC）内に事前に設定されている、
付記２６又は２７に記載の方法。
【０１３４】
（付記２９）
前記第１の無線端末との間で前記第１の無線パラメータに従う前記サイドリンク通信に成功した場合、前記ネットワークによって指定される第２の無線パラメータに従う前記サイドリンク通信を前記第１の無線端末との間で開始することをさらに備える、
付記２６〜２８のいずれか１項に記載の方法。
【０１３５】
（付記３０）
前記第１の無線端末との間で前記第１の無線パラメータに従うダイレクト・ディスカバリに成功した場合、前記ネットワークによって指定される第２の無線パラメータに従うダイレクト通信を前記第１の無線端末との間で開始することをさらに備える、
付記２６〜２９のいずれか１項に記載の方法。
【０１３６】
（付記３１）
ネットワークと接続できない条件の第２の無線端末とのサイドリンク通信を事前設定された第１の無線パラメータに従って開始するように前記ネットワークと接続可能な条件にある第１の無線端末に要求すること、ここで前記サイドリンク通信は、ダイレクト・ディスカバリ及びダイレクト通信の少なくとも一方を含む、
を備える、制御装置によって行われる方法。
【０１３７】
（付記３２）
前記第１の無線パラメータは、前記第１の無線端末および前記第２の無線端末が共に前記ネットワークに接続できない条件の場合に、前記ネットワークの支援無しで前記サイドリンク通信を行うためにも使用される、
付記３１に記載の方法。
【０１３８】
（付記３３）
前記第１の無線パラメータは、前記第１の無線端末内に又は前記第１の無線端末に結合されるUniversal Integrated Circuit Card（UICC）内に事前に設定されている、
付記３１又は３２に記載の方法。
【０１３９】
（付記３４）
第１の無線端末によって行われる方法をコンピュータに行わせるためのプログラムであって、
前記方法は、ネットワークと接続可能な条件において前記ネットワークから受信した要求に応答して、前記ネットワークに接続できない条件の第２の無線端末とのサイドリンク通信を事前設定された第１の無線パラメータに従って行うことを含み、
前記サイドリンク通信は、ダイレクト・ディスカバリ及びダイレクト通信の少なくとも一方を含む、
プログラム。
【０１４０】
（付記３５）
第２の無線端末によって行われる方法をコンピュータに行わせるためのプログラムであって、
前記方法は、ネットワークに接続できない条件の場合に、前記ネットワークと接続可能な条件にある第１の無線端末とのサイドリンク通信を事前設定された第１の無線パラメータに従って行うことを含み、
前記サイドリンク通信は、ダイレクト・ディスカバリ及びダイレクト通信の少なくとも一方を含む、
プログラム。
【０１４１】
（付記３６）
制御装置によって行われる方法をコンピュータに行わせるためのプログラムであって、
前記方法は、ネットワークと接続できない条件の第２の無線端末とのサイドリンク通信を事前設定された第１の無線パラメータに従って開始するように前記ネットワークと接続可能な条件にある第１の無線端末に要求することを含み、
前記サイドリンク通信は、ダイレクト・ディスカバリ及びダイレクト通信の少なくとも一方を含む、
プログラム。
【０１４２】
この出願は、２０１５年３月６日に出願された日本出願特願２０１５−０４５１８４を基礎とする優先権を主張し、その開示の全てをここに取り込む。
【符号の説明】
【０１４３】
１  リレーUser Equipment (UE)
２  リモートUE
３  Evolved Universal Terrestrial Radio Access Network (E-UTRAN)
４  Evolved Packet Core (EPC)
５  Proximity-based Services (ProSe) functionエンティティ
６  ProSeアプリケーションサーバ
３１  evolved NodeB (eNodeB)
３２  セル
１００  Public Land Mobile Network (PLMN)
１０２  UE間ダイレクトインタフェース（サイドリンク）
【図１】
2016142973.tif 000003
【図２】
2016142973.tif 000004
【図３】
2016142973.tif 000005
【図４】
2016142973.tif 000006
【図５】
2016142973.tif 000007
【図６】
2016142973.tif 000008
【図７】
2016142973.tif 000009
【図８】
2016142973.tif 000010
【図９】
2016142973.tif 000011
【図１０】
2016142973.tif 000012
【図１１】
2016142973.tif 000013
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
少なくとも１つの無線トランシーバと、
前記少なくとも１つの無線トランシーバに結合された少なくとも１つのプロセッサと、
を備え、
前記少なくとも１つのプロセッサは、ネットワークと接続可能な条件において前記ネットワークから受信した要求に応答して、前記ネットワークに接続できない条件の第２の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【請求項２】
前記第１の無線パラメータは、前記無線端末装置および前記第２の無線端末が共に前記ネットワークに接続できない条件の場合に、前記ネットワークの支援無しで前記サイドリンク通信を行うためにも使用される、
請求項１に記載の無線端末装置。
【請求項３】
前記第１の無線パラメータは、前記無線端末装置内に又は前記無線端末装置に結合されるUniversal Integrated Circuit Card（UICC）内に事前に設定されている、
請求項１又は２に記載の無線端末装置。
【請求項４】
少なくとも１つの無線トランシーバと、
前記少なくとも１つの無線トランシーバに結合された少なくとも１つのプロセッサと、
を備え、
前記少なくとも１つのプロセッサは、ネットワークに接続できない条件の場合に、前記ネットワークと接続可能な条件にある第１の無線端末とのサイドリンク通信を事前設定された第１の無線パラメータに従って前記少なくとも１つの無線トランシーバを用いて行うよう構成され、
前記サイドリンク通信は、ダイレクト・ディスカバリ及びダイレクト通信の少なくとも一方を含む、
無線端末装置。
【請求項５】
前記第１の無線パラメータは、前記無線端末装置および前記第１の無線端末が共に前記ネットワークに接続できない条件の場合に、前記ネットワークの支援無しで前記サイドリンク通信を行うためにも使用される、
請求項４に記載の無線端末装置。
【請求項６】
前記第１の無線パラメータは、前記無線端末装置内に又は前記無線端末装置に結合されるUniversal Integrated Circuit Card（UICC）内に事前に設定されている、
請求項４又は５に記載の無線端末装置。
【請求項７】
メモリと、
前記メモリに結合された少なくとも１つのプロセッサと、
を備え、
前記少なくとも１つのプロセッサは、ネットワークと接続できない条件にある第２の無線端末とのサイドリンク通信を事前設定された第１の無線パラメータに従って開始するように前記ネットワークと接続可能な条件にある第１の無線端末に要求するよう構成され、
前記サイドリンク通信は、ダイレクト・ディスカバリ及びダイレクト通信の少なくとも一方を含む、
制御装置。
【請求項８】
第１の無線端末によって行われる方法であって、
ネットワークと接続可能な条件において前記ネットワークから受信した要求に応答して、前記ネットワークに接続できない条件の第２の無線端末とのサイドリンク通信を事前設定された第１の無線パラメータに従って行うこと、ここで前記サイドリンク通信は、ダイレクト・ディスカバリ及びダイレクト通信の少なくとも一方を含む、
を備える、方法。
【請求項９】
前記第１の無線パラメータは、前記第１の無線端末および前記第２の無線端末が共に前記ネットワークに接続できない条件の場合に、前記ネットワークの支援無しで前記サイドリンク通信を行うためにも使用される、
請求項８に記載の方法。
【請求項１０】
第１の無線端末によって行われる方法をコンピュータに行わせるためのプログラムであって、
前記方法は、ネットワークと接続可能な条件において前記ネットワークから受信した要求に応答して、前記ネットワークに接続できない条件の第２の無線端末とのサイドリンク通信を事前設定された第１の無線パラメータに従って行うことを含み、
前記サイドリンク通信は、ダイレクト・ディスカバリ及びダイレクト通信の少なくとも一方を含む、
プログラム。
【国際調査報告】
2016142973.tif 000014
2016142973.tif 000015
2016142973.tif 000016
2016142973.tif 000017